【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
複数のフェースプレートのセットから一のフェースプレートを受け入れるように構成される本体であって、ヒール領域と、前記ヒール領域と反対側のトウ領域と、ソールと、クラウンと、を備える前記本体と、
前記複数のフェースプレートのセットのうちの前記一のフェースプレートであって、前記本体に連結される前記一のフェースプレートと、を備え、
前記複数のフェースプレートのセットは、可変硬度プロフィールと可変厚さプロフィールとのうちの少なくとも一方を備え、
前記複数のフェースプレートのセットのうちの第１のフェースプレートは、
ヒール領域と、トウ領域と、上部分と、下部分と、を備えると共に、第１の硬度プロフィールと第１の厚さプロフィールのうちの少なくとも一方をさらに備え、
前記複数のフェースプレートのセットが前記可変硬度プロフィールを備える場合には、前記第１の硬度プロフィールをさらに備え、又は、
前記複数のフェースプレートのセットが前記可変厚さプロフィールを備える場合には、前記第１の厚さプロフィールをさらに備え、
前記フェースプレートのセットのうちの第２のフェースプレートは、
ヒール領域と、トウ領域と、上部分と、下部分と、を備えると共に、第２の硬度プロフィールと第２の厚さプロフィールのうちの少なくとも一方をさらに備え、
前記複数のフェースプレートのセットが前記可変硬度プロフィールを備える場合には、前記第２の硬度プロフィールをさらに備え、又は、
前記複数のフェースプレートのセットが前記可変厚さプロフィールを備える場合には、前記第２の厚さプロフィールをさらに備え、
前記複数のフェースプレートのセットうちの第３のフェースプレートは、
ヒール領域と、トウ領域と、上部分と、下部分と、を備えると共に、第３の硬度プロフィールと第３の厚さプロフィールのうちの少なくとも一方をさらに備え、
前記複数のフェースプレートのセットが前記可変硬度プロフィールを備える場合には、前記第３の硬度プロフィールをさらに備え、又は、
前記複数のフェースプレートのセットが前記可変厚さプロフィールを備える場合には、前記第３の厚さプロフィールをさらに備える、ゴルフクラブヘッド。
【請求項２】
前記第１の硬度プロフィールは、前記第１のフェースプレートにわたって一様な硬度を備え、
前記第２の硬度プロフィールは、
前記第２のフェースプレートの前記トウ領域において最小の硬度と、
前記第２のフェースプレートの前記ヒール領域において最大の硬度と、を備え、
前記第３の硬度プロフィールは、
前記第３のフェースプレートの前記上部分において前記最小の硬度と、
前記第３のフェースプレートの前記下部分において前記最大の硬度と、を備える、請求項１に記載のゴルフクラブヘッド。
【請求項３】
前記最大の硬度は３４〜４０ＨＲＣの間であり、
前記最小の硬度は２３〜２９ＨＲＣの間であり、
前記最小の硬度は、前記フェースプレートの表面積の４５％より大きい、請求項２に記載のゴルフクラブヘッド。
【請求項４】
前記第１の硬度プロフィールは、前記第１のフェースプレートにわたって一様な硬度を備え、
前記第２の硬度プロフィールは、
前記第２のフェースプレートの前記ヒール領域において最小の硬度と、
前記第２のフェースプレートの前記トウ領域において最大の硬度と、を備え、
前記第３の硬度プロフィールは、
前記第３のフェースプレートの前記下部分において前記最小の硬度と、
前記第３のフェースプレートの前記上部分において前記最大の硬度と、を備える、請求項１に記載のゴルフクラブヘッド。
【請求項５】
前記最大の硬度は３４〜４０ＨＲＣの間であり、
前記最小の硬度は２３〜２９ＨＲＣの間である、請求項４に記載のゴルフクラブヘッド。
【請求項６】
前記第１の厚さプロフィールは、
前記第１のフェースプレートの略中心において最大の厚さと、
前記第１のフェースプレートの前記略中心の周囲で最小の厚さと、を備え、
前記第２の厚さプロフィールは、
前記第２のフェースプレートの前記ヒール領域に向かって前記最大の厚さと、
前記第２のフェースプレートの前記トウ領域に向かって前記最小の厚さと、を備え、
前記第３の厚さプロフィールは、
前記第３のフェースプレートの前記下部分に向かって前記最大の厚さと、
前記第３のフェースプレートの前記上部分に向かって前記最小の厚さと、を備える、請求項１に記載のゴルフクラブヘッド。
【請求項７】
前記最大の厚さは０．０６５インチから０．１７５インチまでの範囲であり、
前記最小の厚さは０．０４インチから０．１４インチまでの範囲である、請求項６に記載のゴルフクラブヘッド。
【請求項８】
前記第１の厚さプロフィールは、
前記第１のフェースプレートの略中心において最大の厚さと、
前記第１のフェースプレートの前記略中心の周囲で最小の厚さと、を備え、
前記第２の厚さプロフィールは、
前記第２のフェースプレートの前記トウ領域に向かって前記最大の厚さと、
前記第２のフェースプレートの前記ヒール領域に向かって前記最小の厚さと、を備え、
前記第３の厚さプロフィールは、
前記第３のフェースプレートの前記上部分に向かって前記最大の厚さと、
前記第３のフェースプレートの前記下部分に向かって前記最小の厚さと、を備える、請求項１に記載のゴルフクラブヘッド。
【請求項９】
前記最大の厚さは０．０６５インチから０．１７５インチまでの範囲であり、
前記最小の厚さは０．０４インチから０．１４インチまでの範囲である、請求項８に記載のゴルフクラブヘッド。
【請求項１０】
前記複数のフェースプレートのセットのうちの前記第１のフェースプレートを備える前記ゴルフクラブヘッドは、
第１の重心を備え、
水平軸を中心とした第１のスピンと鉛直軸を中心とした第１のスピンとを含む第１のゴルフボールスピンを実現し、
前記複数のフェースプレートのセットのうちの前記第２のフェースプレートを備える前記ゴルフクラブヘッドは、
第２の重心を備え、
前記水平軸を中心とした第２のスピンと前記鉛直軸を中心とした第２のスピンとを含む第２のゴルフボールスピンを実現し、
前記複数のフェースプレートのセットのうちの前記第３のフェースプレートを備える前記ゴルフクラブヘッドは、
第３の重心を備え、
前記水平軸を中心とした第３のスピンと前記鉛直軸を中心とした第３のスピンとを含む第３のゴルフボールスピンを実現し、
前記水平軸を中心とした前記第２のスピンは、前記水平軸を中心とした前記第１のスピンに略等しく、
前記鉛直軸を中心とした前記第２のスピンは、前記鉛直軸を中心とした前記第１のスピンより小さく、
前記水平軸を中心とした前記第３のスピンは、前記水平軸を中心とした前記第１のスピンより小さく、
前記鉛直軸を中心とした前記第３のスピンは、前記鉛直軸を中心とした前記第１のスピンに略等しく、
前記第１の重心、前記第２の重心、および、前記第３の重心は、略等しい、請求項１から９のいずれか一項に記載のゴルフクラブヘッド。
【請求項１１】
複数のゴルフクラブヘッドのセットであって、
第１のゴルフクラブヘッドと、第２のゴルフクラブヘッドと、第３のゴルフクラブヘッドと、を備え、
前記第１のゴルフクラブヘッドは、
複数のフェースプレートのセットのうちの第１のフェースプレートを受け入れるように構成される第１の本体と、
前記第１の本体に連結される前記第１のフェースプレートと、を備え、
前記複数のフェースプレートのセットは、可変硬度プロフィールと可変厚さプロフィールとのうちの少なくとも一方を備え、
前記第１の本体は、
第１のヒール領域と、
前記第１のヒール領域と反対側の第１のトウ領域と、
第１のソールと、
第１のクラウンと、を備え、
前記複数のフェースプレートのうちの前記第１のフェースプレートは、ヒール領域と、トウ領域と、上部分と、下部分と、を備えると共に、第１の硬度プロフィールと第１の厚さプロフィールとのうちの少なくとも一方をさらに備え、
前記第１のフェースプレートは、
前記複数のフェースプレートのセットが前記可変硬度プロフィールを備える場合には、前記第１の硬度プロフィールを備え、
前記複数のフェースプレートのセットが前記可変厚さプロフィールを備える場合には、前記第１の厚さプロフィールを備え、
前記第２のゴルフクラブヘッドは、
前記複数のフェースプレートのセットのうちの第２のフェースプレートを受け入れるように構成される第２の本体と、
前記第２の本体に連結される前記第２のフェースプレートと、を備え、
前記第２の本体は、
第２のヒール領域と、
前記第２のヒール領域と反対側の第２のトウ領域と、
第２のソールと、
第２のクラウンと、を備え、
前記複数のフェースプレートのセットのうちの前記第２のフェースプレートは、ヒール領域と、トウ領域と、上部分と、下部分と、を備える共に、第２の硬度プロフィールと第２の厚さプロフィールとのうちの少なくとも一方をさらに備え、
前記第２のフェースプレートは、
前記複数のフェースプレートのセットが前記可変硬度プロフィールを備える場合には、前記第２の硬度プロフィールを備え、
前記複数のフェースプレートのセットが前記可変厚さプロフィールを備える場合には、前記第２の厚さプロフィールを備え、
前記第３のゴルフクラブヘッドは、
前記複数のフェースプレートのセットのうちの第３のフェースプレートを受け入れるように構成される第３の本体と、
前記第３の本体に連結される前記第３のフェースプレートと、を備え、
前記第３の本体は、
第３のヒール領域と、
前記第３のヒール領域と反対側の第３のトウ領域と、
第３のソールと、
第３のクラウンと、を備え、
前記複数のフェースプレートのセットのうちの前記第３のフェースプレートは、ヒール領域と、トウ領域と、上部分と、下部分と、を備えると共に、第３の硬度プロフィールと第３の厚さプロフィールとのうちの少なくとも一方をさらに備え、
前記第３のフェースプレートは、
前記複数のフェースプレートのセットが前記可変硬度プロフィールを備える場合には、前記第３の硬度プロフィールを備え、
前記複数のフェースプレートのセットが前記可変厚さプロフィールを備える場合には前記第３の厚さプロフィールを備える、ゴルフクラブヘッドのセット。
【請求項１２】
前記第１の硬度プロフィールは、前記第１のフェースプレートにわたって一様な硬度を備え、
前記第２の硬度プロフィールは、
前記第２のフェースプレートの前記トウ領域において最小の硬度と、
前記第２のフェースプレートの前記ヒール領域において最大の硬度と、を備え、
前記第３の硬度プロフィールは、
前記第３のフェースプレートの前記上部分において前記最小の硬度と、
前記第３のフェースプレートの前記下部分において前記最大の硬度と、を備える、請求項１１に記載のゴルフクラブヘッドのセット。
【請求項１３】
前記第１の硬度プロフィールは、前記第１のフェースプレートにわたって一様な硬度を備え、
前記第２の硬度プロフィールは、
前記第２のフェースプレートの前記ヒール領域において最小の硬度と、
前記第２のフェースプレートの前記トウ領域において最大の硬度と、を備え、
前記第３の硬度プロフィールは、
前記第３のフェースプレートの前記下部分において前記最小の硬度と、
前記第３のフェースプレートの前記上部分において前記最大の硬度と、を備える、請求項１１に記載のゴルフクラブヘッドのセット。
【請求項１４】
前記第１の厚さプロフィールは、前記第１のフェースプレートの前記略中心において最大の厚さを備え、
前記第２の厚さプロフィールは、前記第２のフェースプレートの前記ヒール領域に向かって前記最大の厚さを備え、
前記第３の厚さプロフィールは、前記第３のフェースプレートの前記下部分に向かって前記最大の厚さを備える、請求項１１に記載のゴルフクラブヘッドのセット。
【請求項１５】
前記第１の厚さプロフィールは、前記第１のフェースプレートの前記略中心において最大の厚さを備え、
前記第２の厚さプロフィールは、前記第２のフェースプレートの前記トウ領域に向かって前記最大の厚さを備え、
前記第３の厚さプロフィールは、前記第３のフェースプレートの前記上部分に向かって前記最大の厚さを備える、請求項１１に記載のゴルフクラブヘッドのセット。
【請求項１６】
前記第１のゴルフクラブヘッドは、
第１の重心を備え、
水平軸を中心とした第１のスピンと鉛直軸を中心とした第１のスピンとを含む第１のゴルフボールスピンを実現し、
前記第２のゴルフクラブヘッドは、
第２の重心を備え、
前記水平軸を中心とした第２のスピンと前記鉛直軸を中心とした第２のスピンとを含む第２のゴルフボールスピンを実現し、
前記第３のゴルフクラブヘッドは、
第３の重心を備え、前記水平軸を中心とした第３のスピンと前記鉛直軸を中心とした第３のスピンとを含む第３のゴルフボールスピンを実現し、
前記水平軸を中心とした前記第２のスピンは、前記水平軸を中心とした前記第１のスピンと略等しく、
前記鉛直軸を中心とした前記第２のスピンは、前記鉛直軸を中心とした前記第１のスピンより小さく、
前記水平軸を中心とした前記第３のスピンは、前記水平軸を中心とした前記第１のスピンより小さく、
前記鉛直軸を中心とした前記第３のスピンは、前記鉛直軸を中心とした前記第１のスピンと略等しく、
前記第１の重心、前記第２の重心、および、前記第３の重心は、略等しい、請求項１１から１５のいずれか一項に記載のゴルフクラブヘッドのセット。
【手続補正２】
【補正対象書類名】明細書
【補正対象項目名】０１０４
【補正方法】変更
【補正の内容】
【０１０４】
さらに、本明細書に記載した実施形態および限定は、その実施形態および／または限定が、（１）特許請求の範囲において明示的に特許請求されておらず、かつ、（２）均等論の下で、特許請求の範囲における明示の要素および／もしくは限定の均等物であり、または、それらの潜在的な均等物である場合、公有の原則の下で公衆に供されてはいない。
以下の項目は、国際出願時の特許請求の範囲に記載の要素である。
（項目１）
ゴルフクラブヘッドであって、
複数のフェースプレートのセットから一のフェースプレートを受け入れるように構成される本体であって、ヒール領域と、前記ヒール領域と反対側のトウ領域と、ソールと、クラウンと、を備える前記本体と、
前記複数のフェースプレートのセットのうちの前記一のフェースプレートであって、前記本体に連結される前記一のフェースプレートと、を備え、
前記複数のフェースプレートのセットは、可変硬度プロフィールと可変厚さプロフィールとのうちの少なくとも一方を備え、
前記複数のフェースプレートのセットのうちの第１のフェースプレートは、
ヒール領域と、トウ領域と、上部分と、下部分と、を備えると共に、
前記複数のフェースプレートのセットが前記可変硬度プロフィールを備える場合には、第１の硬度プロフィールをさらに備え、又は、
前記複数のフェースプレートのセットが前記可変厚さプロフィールを備える場合には、第１の厚さプロフィールをさらに備え、
前記フェースプレートのセットのうちの第２のフェースプレートは、
ヒール領域と、トウ領域と、上部分と、下部分と、を備えると共に、
前記複数のフェースプレートのセットが前記可変硬度プロフィールを備える場合には、第２の硬度プロフィールをさらに備え、又は、
前記複数のフェースプレートのセットが前記可変厚さプロフィールを備える場合には、第２の厚さプロフィールをさらに備え、
前記複数のフェースプレートのセットうちの第３のフェースプレートは、
ヒール領域と、トウ領域と、上部分と、下部分と、を備えると共に、
前記複数のフェースプレートのセットが前記可変硬度プロフィールを備える場合には、第３の硬度プロフィールをさらに備え、又は、
前記複数のフェースプレートのセットが前記可変厚さプロフィールを備える場合には、第３の厚さプロフィールをさらに備える、ゴルフクラブヘッド。
（項目２）
前記第１の硬度プロフィールは、前記第１のフェースプレートにわたって一様な硬度を備え、
前記第２の硬度プロフィールは、
前記第２のフェースプレートの前記トウ領域において最小の硬度と、
前記第２のフェースプレートの前記ヒール領域において最大の硬度と、を備え、
前記第３の硬度プロフィールは、
前記第３のフェースプレートの前記上部分において前記最小の硬度と、
前記第３のフェースプレートの前記下部分において前記最大の硬度と、を備える、項目１に記載のゴルフクラブヘッド。
（項目３）
前記最大の硬度は３４〜４０ＨＲＣの間であり、
前記最小の硬度は２３〜２９ＨＲＣの間であり、
前記最小の硬度は、前記フェースプレートの表面積の４５％より大きい、項目２に記載のゴルフクラブヘッド。
（項目４）
前記第１の硬度プロフィールは、前記第１のフェースプレートにわたって一様な硬度を備え、
前記第２の硬度プロフィールは、
前記第２のフェースプレートの前記ヒール領域において最小の硬度と、
前記第２のフェースプレートの前記トウ領域において最大の硬度と、を備え、
前記第３の硬度プロフィールは、
前記第３のフェースプレートの前記下部分において前記最小の硬度と、
前記第３のフェースプレートの前記上部分において前記最大の硬度と、を備える、項目１に記載のゴルフクラブヘッド。
（項目５）
前記最大の硬度は３４〜４０ＨＲＣの間であり、
前記最小の硬度は２３〜２９ＨＲＣの間である、項目４に記載のゴルフクラブヘッド。
（項目６）
前記第１の厚さプロフィールは、
前記第１のフェースプレートの略中心において最大の厚さと、
前記第１のフェースプレートの前記略中心の周囲で最小の厚さと、を備え、
前記第２の厚さプロフィールは、
前記第２のフェースプレートの前記ヒール領域に向かって前記最大の厚さと、
前記第２のフェースプレートの前記トウ領域に向かって前記最小の厚さと、を備え、
前記第３の厚さプロフィールは、
前記第３のフェースプレートの前記下部分に向かって前記最大の厚さと、
前記第３のフェースプレートの前記上部分に向かって前記最小の厚さと、を備える、項目１に記載のゴルフクラブヘッド。
（項目７）
前記最大の厚さは０．０６５インチから０．１７５インチまでの範囲であり、
前記最小の厚さは０．０４インチから０．１４インチまでの範囲である、項目６に記載のゴルフクラブヘッド。
（項目８）
前記第１の厚さプロフィールは、
前記第１のフェースプレートの略中心において最大の厚さと、
前記第１のフェースプレートの前記略中心の周囲で最小の厚さと、を備え、
前記第２の厚さプロフィールは、
前記第２のフェースプレートの前記トウ領域に向かって前記最大の厚さと、
前記第２のフェースプレートの前記ヒール領域に向かって前記最小の厚さと、を備え、
前記第３の厚さプロフィールは、
前記第３のフェースプレートの前記上部分に向かって前記最大の厚さと、
前記第３のフェースプレートの前記下部分に向かって前記最小の厚さと、を備える、項目１に記載のゴルフクラブヘッド。
（項目９）
前記最大の厚さは０．０６５インチから０．１７５インチまでの範囲であり、
前記最小の厚さは０．０４インチから０．１４インチまでの範囲である、項目８に記載のゴルフクラブヘッド。
（項目１０）
前記複数のフェースプレートのセットのうちの前記第１のフェースプレートを備える前記ゴルフクラブヘッドは、
第１の重心を備え、
水平軸を中心とした第１のスピンと鉛直軸を中心とした第１のスピンとを含む第１のゴルフボールスピンを実現し、
前記複数のフェースプレートのセットのうちの前記第２のフェースプレートを備える前記ゴルフクラブヘッドは、
第２の重心を備え、
前記水平軸を中心とした第２のスピンと前記鉛直軸を中心とした第２のスピンとを含む第２のゴルフボールスピンを実現し、
前記複数のフェースプレートのセットのうちの前記第３のフェースプレートを備える前記ゴルフクラブヘッドは、
第３の重心を備え、
前記水平軸を中心とした第３のスピンと前記鉛直軸を中心とした第３のスピンとを含む第３のゴルフボールスピンを実現し、
前記水平軸を中心とした前記第２のスピンは、前記水平軸を中心とした前記第１のスピンに略等しく、
前記鉛直軸を中心とした前記第２のスピンは、前記鉛直軸を中心とした前記第１のスピンより小さく、
前記水平軸を中心とした前記第３のスピンは、前記水平軸を中心とした前記第１のスピンより小さく、
前記鉛直軸を中心とした前記第３のスピンは、前記鉛直軸を中心とした前記第１のスピンに略等しく、
前記第１の重心、前記第２の重心、および、前記第３の重心は、略等しい、項目１に記載のゴルフクラブヘッド。
（項目１１）
複数のゴルフクラブヘッドのセットであって、
第１のゴルフクラブヘッドと、第２のゴルフクラブヘッドと、第３のゴルフクラブヘッドと、を備え、
前記第１のゴルフクラブヘッドは、
複数のフェースプレートのセットのうちの第１のフェースプレートを受け入れるように構成される第１の本体と、
前記第１の本体に連結される前記第１のフェースプレートと、を備え、
前記複数のフェースプレートのセットは、可変硬度プロフィールと可変厚さプロフィールとのうちの少なくとも一方を備え、
前記第１の本体は、
第１のヒール領域と、
前記第１のヒール領域と反対側の第１のトウ領域と、
第１のソールと、
第１のクラウンと、を備え、
前記複数のフェースプレートのうちの前記第１のフェースプレートは、ヒール領域と、トウ領域と、上部分と、下部分と、を備えると共に、第１の硬度プロフィールと第１の厚さプロフィールとのうちの少なくとも一方をさらに備え、
前記第１のフェースプレートは、
前記複数のフェースプレートのセットが前記可変硬度プロフィールを備える場合には、前記第１の硬度プロフィールを備え、
前記複数のフェースプレートのセットが前記可変厚さプロフィールを備える場合には、前記第１の厚さプロフィールを備え、
前記第２のゴルフクラブヘッドは、
前記複数のフェースプレートのセットのうちの第２のフェースプレートを受け入れるように構成される第２の本体と、
前記第２の本体に連結される前記第２のフェースプレートと、を備え、
前記第２の本体は、
第２のヒール領域と、
前記第２のヒール領域と反対側の第２のトウ領域と、
第２のソールと、
第２のクラウンと、を備え、
前記複数のフェースプレートのセットのうちの前記第２のフェースプレートは、ヒール領域と、トウ領域と、上部分と、下部分と、を備える共に、第２の硬度プロフィールと第２の厚さプロフィールとのうちの少なくとも一方をさらに備え、
前記第２のフェースプレートは、
前記複数のフェースプレートのセットが前記可変硬度プロフィールを備える場合には、前記第２の硬度プロフィールを備え、
前記複数のフェースプレートのセットが前記可変厚さプロフィールを備える場合には、前記第２の厚さプロフィールを備え、
前記第３のゴルフクラブヘッドは、
前記複数のフェースプレートのセットのうちの第３のフェースプレートを受け入れるように構成される第３の本体と、
前記第３の本体に連結される前記第３のフェースプレートと、を備え、
前記第３の本体は、
第３のヒール領域と、
前記第３のヒール領域と反対側の第３のトウ領域と、
第３のソールと、
第３のクラウンと、を備え、
前記複数のフェースプレートのセットのうちの前記第３のフェースプレートは、ヒール領域と、トウ領域と、上部分と、下部分と、を備えると共に、第３の硬度プロフィールと第３の厚さプロフィールとのうちの少なくとも一方をさらに備え、
前記第３のフェースプレートは、
前記複数のフェースプレートのセットが前記可変硬度プロフィールを備える場合には、前記第３の硬度プロフィールを備え、
前記複数のフェースプレートのセットが前記可変厚さプロフィールを備える場合には前記第３の厚さプロフィールを備える、ゴルフクラブヘッドのセット。
（項目１２）
前記第１の硬度プロフィールは、前記第１のフェースプレートにわたって一様な硬度を備え、
前記第２の硬度プロフィールは、
前記第２のフェースプレートの前記トウ領域において最小の硬度と、
前記第２のフェースプレートの前記ヒール領域において最大の硬度と、を備え、
前記第３の硬度プロフィールは、
前記第３のフェースプレートの前記上部分において前記最小の硬度と、
前記第３のフェースプレートの前記下部分において前記最大の硬度と、を備える、項目１１に記載のゴルフクラブヘッドのセット。
（項目１３）
前記第１の硬度プロフィールは、前記第１のフェースプレートにわたって一様な硬度を備え、
前記第２の硬度プロフィールは、
前記第２のフェースプレートの前記ヒール領域において最小の硬度と、
前記第２のフェースプレートの前記トウ領域において最大の硬度と、を備え、
前記第３の硬度プロフィールは、
前記第３のフェースプレートの前記下部分において前記最小の硬度と、
前記第３のフェースプレートの前記上部分において前記最大の硬度と、を備える、項目１１に記載のゴルフクラブヘッドのセット。
（項目１４）
前記第１の厚さプロフィールは、前記第１のフェースプレートの前記略中心において最大の厚さを備え、
前記第２の厚さプロフィールは、前記第２のフェースプレートの前記ヒール領域に向かって前記最大の厚さを備え、
前記第３の厚さプロフィールは、前記第３のフェースプレートの前記下部分に向かって前記最大の厚さを備える、項目１１に記載のゴルフクラブヘッドのセット。
（項目１５）
前記第１の厚さプロフィールは、前記第１のフェースプレートの前記略中心において最大の厚さを備え、
前記第２の厚さプロフィールは、前記第２のフェースプレートの前記トウ領域に向かって前記最大の厚さを備え、
前記第３の厚さプロフィールは、前記第３のフェースプレートの前記上部分に向かって前記最大の厚さを備える、項目１１に記載のゴルフクラブヘッドのセット。
（項目１６）
前記第１のゴルフクラブヘッドは、
第１の重心を備え、
水平軸を中心とした第１のスピンと鉛直軸を中心とした第１のスピンとを含む第１のゴルフボールスピンを実現し、
前記第２のゴルフクラブヘッドは、
第２の重心を備え、
前記水平軸を中心とした第２のスピンと前記鉛直軸を中心とした第２のスピンとを含む第２のゴルフボールスピンを実現し、
前記第３のゴルフクラブヘッドは、
第３の重心を備え、前記水平軸を中心とした第３のスピンと前記鉛直軸を中心とした第３のスピンとを含む第３のゴルフボールスピンを実現し、
前記水平軸を中心とした前記第２のスピンは、前記水平軸を中心とした前記第１のスピンと略等しく、
前記鉛直軸を中心とした前記第２のスピンは、前記鉛直軸を中心とした前記第１のスピンより小さく、
前記水平軸を中心とした前記第３のスピンは、前記水平軸を中心とした前記第１のスピンより小さく、
前記鉛直軸を中心とした前記第３のスピンは、前記鉛直軸を中心とした前記第１のスピンと略等しく、
前記第１の重心、前記第２の重心、および、前記第３の重心は、略等しい、項目１１に記載のゴルフクラブヘッドのセット。
（項目１７）
ゴルフクラブであって、
複数のフェースプレートのセットからフェースプレートを受け入れるように構成される本体であって、ヒール領域と、前記ヒール領域と反対側のトウ領域と、ソールと、クラウンと、を備える前記本体と、
前記複数のフェースプレートのセットのうちの一のフェースプレートであって、前記本体に連結される前記一のフェースプレートと、
前記本体に連結されるシャフトと、
前記シャフトに連結されるグリップと、を備え、
前記複数のフェースプレートのセットは、可変硬度プロフィールと可変厚さプロフィールとのうちの少なくとも一方を備え、
前記複数のフェースプレートのセットのうちの第１のフェースプレートは、
ヒール領域と、トウ領域と、上部分と、下部分と、を備えると共に、
前記複数のフェースプレートのセットが前記可変硬度プロフィールを備える場合には、第１の硬度プロフィールをさらに備え、又は、
前記複数のフェースプレートのセットが前記可変厚さプロフィールを備える場合には、第１の厚さプロフィールをさらに備え、
前記複数のフェースプレートのセットのうちの第２のフェースプレートは、
ヒール領域と、トウ領域と、上部分と、下部分と、を備えると共に、
前記複数のフェースプレートのセットが前記可変硬度プロフィールを備える場合には、第２の硬度プロフィールをさらに備え、又は、
前記複数のフェースプレートのセットが前記可変厚さプロフィールを備える場合には、第２の厚さプロフィールをさらに備え、
前記複数のフェースプレートのセットのうちの第３のフェースプレートは、
ヒール領域と、トウ領域と、上部分と、下部分と、を備えると共に、
前記複数のフェースプレートのセットが前記可変硬度プロフィールを備える場合には、第３の硬度プロフィールをさらに備え、
前記複数のフェースプレートのセットが前記可変厚さプロフィールを備える場合には、第３の厚さプロフィールをさらに備える、ゴルフクラブ。
（項目１８）
前記第１の硬度プロフィールは、前記第１のフェースプレートにわたって一様な硬度を備え、
前記第２の硬度プロフィールは、
前記第２のフェースプレートの前記トウ領域において最小の硬度と、
前記第２のフェースプレートの前記ヒール領域において最大の硬度と、を備え、
前記第３の硬度プロフィールは、
前記第３のフェースプレートの前記上部分において前記最小の硬度と、
前記第３のフェースプレートの前記下部分において前記最大の硬度と、を備える、項目１７に記載のゴルフクラブ。
（項目１９）
前記第１の硬度プロフィールは、前記第１のフェースプレートにわたって一様な硬度を備え、
前記第２の硬度プロフィールは、
前記第２のフェースプレートの前記ヒール領域において最小の硬度と、
前記第２のフェースプレートの前記トウ領域において最大の硬度と、を備え、
前記第３の硬度プロフィールは、
前記第３のフェースプレートの前記下部分において前記最小の硬度と、
前記第３のフェースプレートの前記上部分において前記最大の硬度と、を備える、項目１７に記載のゴルフクラブ。
（項目２０）
前記第１の厚さプロフィールは、前記第１のフェースプレートの略中心において最大の厚さを備え、
前記第２の厚さプロフィールは、前記第２のフェースプレートの前記ヒール領域に向かって前記最大の厚さを備え、
前記第３の厚さプロフィールは、前記第３のフェースプレートの前記下部分に向かって前記最大の厚さを備える、項目１７に記載のゴルフクラブ。
（項目２１）
前記第１の厚さプロフィールは、前記第１のフェースプレートの略中心において最大の厚さを備え、
前記第２の厚さプロフィールは、前記第２のフェースプレートの前記トウ領域に向かって前記最大の厚さを備え、
前記第３の厚さプロフィールは、前記第３のフェースプレートの前記上部分に向かって前記最大の厚さを備える、項目１７に記載のゴルフクラブ。
（項目２２）
前記複数のフェースプレートのセットのうちの前記第１のフェースプレートを備える前記ゴルフクラブヘッドは、
第１の重心を備え、
水平軸を中心とした第１のスピンと鉛直軸を中心とした第１のスピンとを含む第１のゴルフボールスピンを実現し、
前記複数のフェースプレートのセットのうちの前記第２のフェースプレートを備える前記ゴルフクラブヘッドは、
第２の重心を備え、
前記水平軸を中心とした第２のスピンと前記鉛直軸を中心とした第２のスピンとを含む第２のゴルフボールスピンを実現し、
前記複数のフェースプレートのセットのうちの前記第３のフェースプレートを備える前記ゴルフクラブヘッドは、
第３の重心を備え、
前記水平軸を中心とした第３のスピンと前記鉛直軸を中心とした第３のスピンとを含む第３のゴルフボールスピンを実現し、
前記水平軸を中心とした前記第２のスピンは、前記水平軸を中心とした前記第１のスピンと略等しく、
前記鉛直軸を中心とした前記第２のスピンは、前記鉛直軸を中心とした前記第１のスピンより小さく、
前記水平軸を中心とした前記第３のスピンは、前記水平軸を中心とした前記第１のスピンより小さく、
前記鉛直軸を中心とした前記第３のスピンは、前記鉛直軸を中心とした前記第１のスピンと略等しく、
前記第１の重心、前記第２の重心、および、前記第３の重心は、略等しい、項目１７に記載のゴルフクラブ。
（項目２３）
ゴルフクラブヘッドを製造するための方法であって、
第１の密度を有する材料から本体を形成するステップであって、前記本体は、複数のフェースプレートのセットのうちの一のフェースプレートを受け入れるように構成され、ヒール領域と、前記ヒール領域と反対側のトウ領域と、ソールと、クラウンと、を備える、前記ステップと、
前記複数のフェースプレートのセットを形成するステップと、
前記複数のフェースプレートのセットのうちの一のフェースプレートを前記本体に取り付けるステップであって、前記取り付けは、溶接によって実行される、前記ステップと、を含み、
前記複数のフェースプレートのセットは、可変硬度プロフィールと可変厚さプロフィールとのうちの少なくとも一方を備え、
前記複数のフェースプレートのセットのうちの第１のフェースプレートは、
ヒール領域と、トウ領域と、上部分と、下部分と、を備えると共に、
前記複数のフェースプレートのセットが前記可変硬度プロフィールを備える場合には、第１の硬度プロフィールをさらに備え、又は、
前記複数のフェースプレートのセットが前記可変厚さプロフィールを備える場合には、第１の厚さプロフィールをさらに備え、
前記複数のフェースプレートのセットのうちの第２のフェースプレートは、
ヒール領域と、トウ領域と、上部分と、下部分と、を備えると共に、
前記複数のフェースプレートのセットが前記可変硬度プロフィールを備える場合には、第２の硬度プロフィールをさらに備え、又は、
前記複数のフェースプレートのセットが前記可変厚さプロフィールを備える場合には、第２の厚さプロフィールをさらに備え、
前記複数のフェースプレートのセットのうちの第３のフェースプレートは、
ヒール領域と、トウ領域と、上部分と、下部分と、を備えると共に、
前記複数のフェースプレートのセットが前記可変硬度プロフィールを備える場合には、第３の硬度プロフィールをさらに備え、又は、
前記複数のフェースプレートのセットが前記可変厚さプロフィールを備える場合には、第３の厚さプロフィールをさらに備える、方法。
（項目２４）
前記第１の硬度プロフィールは、前記第１のフェースプレートにわたって一様な硬度を備え、
前記第２の硬度プロフィールは、
前記第２のフェースプレートの前記トウ領域において最小の硬度と、
前記第２のフェースプレートの前記ヒール領域において最大の硬度と、を備え、
前記第３の硬度プロフィールは、
前記第３のフェースプレートの前記上部分において前記最小の硬度と、
前記第３のフェースプレートの前記下部分において前記最大の硬度と、を備える、項目２３に記載の方法。
（項目２５）
前記第１の硬度プロフィールは、前記第１のフェースプレートにわたって一様な硬度を備え、
前記第２の硬度プロフィールは、
前記第２のフェースプレートの前記ヒール領域において最小の硬度と、
前記第２のフェースプレートの前記トウ領域において最大の硬度と、を備え、
前記第３の硬度プロフィールは、
前記第３のフェースプレートの前記下部分において前記最小の硬度と、
前記第３のフェースプレートの前記上部分において前記最大の硬度と、を備える、項目２３に記載の方法。
（項目２６）
前記第１の厚さプロフィールは、前記第１のフェースプレートの前記略中心において最大の厚さを備え、
前記第２の厚さプロフィールは、前記第２のフェースプレートの前記ヒール領域に向かって前記最大の厚さを備え、
前記第３の厚さプロフィールは、前記第３のフェースプレートの前記下部分に向かって前記最大の厚さを備える、項目２３に記載の方法。
（項目２７）
前記第１の厚さプロフィールは、前記第１のフェースプレートの前記略中心において最大の厚さを備え、
前記第２の厚さプロフィールは、前記第２のフェースプレートの前記トウ領域に向かって前記最大の厚さを備え、
前記第３の厚さプロフィールは、前記第３のフェースプレートの前記上部分に向かって前記最大の厚さを備える、項目２３に記載の方法。
（項目２８）
前記複数のフェースプレートのセットのうちの前記第１のフェースプレートを備える前記ゴルフクラブヘッドは、
第１の重心を備え、
水平軸を中心とした第１のスピンと鉛直軸を中心とした第１のスピンとを含む第１のゴルフボールスピンを実現し、
前記複数のフェースプレートのセットのうちの前記第２のフェースプレートを備える前記ゴルフクラブヘッドは、
第２の重心を備え、
前記水平軸を中心とした第２のスピンと前記鉛直軸を中心とした第２のスピンとを含む第２のゴルフボールスピンを実現し、
前記複数のフェースプレートのセットのうちの前記第３のフェースプレートを備える前記ゴルフクラブヘッドは、
第３の重心を備え、
前記水平軸を中心とした第３のスピンと前記鉛直軸を中心とした第３のスピンとを含む第３のゴルフボールスピンを実現し、
前記水平軸を中心とした前記第２のスピンは、前記水平軸を中心とした前記第１のスピンと略等しく、
前記鉛直軸を中心とした前記第２のスピンは、前記鉛直軸を中心とした前記第１のスピンより小さく、
前記水平軸を中心とした前記第３のスピンは、前記水平軸を中心とした前記第１のスピンより小さく、
前記鉛直軸を中心とした前記第３のスピンは、前記鉛直軸を中心とした前記第１のスピンと略等しく、
前記第１の重心、前記第２の重心、および、前記第３の重心は、略等しい、項目２３に記載の方法。
（項目２９）
前記複数のフェースプレートのセットを形成する前記ステップは、前記可変硬度プロフィールが前記複数のフェースプレートのセットの各々のフェースプレートの一部の熱処理における変化によって生成されると共に、前記可変硬度プロフィールが前記フェースプレートのセット内の各々のフェースプレートの厚さ全体にわたって形成されるように、前記複数のフェースプレートのセットを形成するステップを含む、項目２３に記載の方法。
（項目３０）
前記熱処理は、
前記フェースプレート全体にわたる第１の温度および第１の継続時間における第１の熱処理と、
前記フェースプレートの軟化部分における第２の継続時間にわたる第２の温度での第２の熱処理と、を含む、項目２９に記載の方法。
（項目３１）
前記第１の熱処理は、約１時間から４時間までの前記第１の継続時間にわたる約華氏９００度の前記第１の温度を含み、
前記第２の熱処理は、約１時間から４時間までの前記第２の継続時間にわたる約華氏１１５０度の前記第２の温度を含む、項目３０に記載の方法。
（項目３２）
前記第１の熱処理は、約１時間から４時間までの前記第１の継続時間にわたる約華氏９００度の前記第１の温度を含み、
前記第２の熱処理は、約１時間から４時間までの前記第２の継続時間にわたる約華氏１０００度の前記第２の温度を含む、項目３０に記載の方法。
（項目３３）
前記第１の熱処理は、約１時間から４時間までの前記第１の継続時間にわたる約華氏９００度の前記第１の温度を含み、
前記第２の熱処理は、約１時間から６時間までの前記第２の継続時間にわたる約華氏１０００度の前記第２の温度を含む、項目３０に記載の方法。